(57)【要約】【課題】各種電子機器の操作パネル用のパネルスイッチ等に使用される可動接点体およびそれを用いて構成したパネルスイッチに関し、外形が小型化されたものであってもベースシートの外縁からの剥がれが防止できるものを提供する。【解決手段】絶縁フィルム製のベースシート１２の下面に形成された粘着剤１３で各可動接点１１が粘着保持されて構成される可動接点体において、各可動接点１１の外周を取り囲む位置それぞれに、ベースシート１２と粘着剤１３の間に介在する中間部材としての円環状の絶縁皮膜１４を設け、ベースシート１２における元の平板状に戻ろうとする力が抑制できる構成としたため、ベースシート１２の外縁近傍に可動接点１１が配置された外形の小型化が図られたものであっても、ベースシート１２の外縁からの剥がれが防止できるものとなる。【選択図】図１
2006172974.tif 000002
【特許請求の範囲】
【請求項１】
下方開口のドーム状に形成された複数個の金属薄板製の可動接点と、前記可動接点のそれぞれの上面を、下面の粘着剤で粘着保持した絶縁フィルム製のベースシートとを備え、前記ベースシートにおいて、その外縁と前記外縁に近接して配置された前記可動接点の外周端近傍に応じた箇所との間の部分に、前記ベースシートと前記粘着剤との間に介在する薄肉の中間部材が設けられた可動接点体。
【請求項２】
中間部材が、可動接点を囲む円環状に設けられた請求項１記載の可動接点体。
【請求項３】
中間部材が、絶縁樹脂材料からなるフィルム状薄板で構成された請求項１記載の可動接点体。
【請求項４】
中間部材が、スクリーン印刷によりベースシート下面に形成された絶縁皮膜である請求項１記載の可動接点体。
【請求項５】
請求項１記載の可動接点体を用いて、その可動接点体の各可動接点に対応する位置それぞれに固定接点が配設された配線基板上に、ベースシート下面の粘着剤により前記可動接点体を粘着させて構成したパネルスイッチ。
【発明の詳細な説明】
【技術分野】
【０００１】
本発明は、各種電子機器の操作パネル用のパネルスイッチに用いられる可動接点体およびそれを用いて構成したパネルスイッチに関するものである。
【背景技術】
【０００２】
近年、携帯電話機、ＰＤＡなどの携帯用電子機器が広く普及しているが、それら電子機器は携帯性の向上のため等に小型化が進んでおり、それら電子機器の操作パネル部分に用いられるパネルスイッチも小型化への要求が高い。
【０００３】
このようなパネルスイッチに用いられる従来の可動接点体およびそれを用いて構成したパネルスイッチについて、図４〜図６を用いて説明する。
【０００４】
図４は従来の可動接点体の断面図、図５は同分解斜視図、図６は同可動接点体を装着して構成したパネルスイッチの断面図である。
【０００５】
図４および図５において、１は金属薄板からなる円形の可動接点で、下方開口となるように上方突形のドーム状に形成されている。２は下面全面に粘着剤３を備えたＰＥＴ等の絶縁フィルム製のベースシートであり、前記可動接点１は、複数個それぞれが、前記粘着剤３で各ドーム状頂点部１Ａの上面側が粘着保持されることによってベースシート２の所定位置に配置されている。
【０００６】
以上のように従来の可動接点体は構成され、その使用状態としては、図６に示すように、上面に外側固定接点４Ａと中央固定接点４Ｂとを一組とした固定接点４が前記可動接点体の各可動接点１に対応する位置のそれぞれに配設された配線基板５に対し、前記各可動接点１の外周下端１Ｂが前記各外側固定接点４Ａ上に載るように位置合わせされて、ベースシート２下面に形成された粘着剤３で粘着されて使用される。
【０００７】
そして、前記図６の状態において、各外側固定接点４Ａは対応する各可動接点１と導通し、かつ各可動接点１のドーム状頂点部１Ａ下面は、対応する各中央固定接点４Ｂと間隔を空けて対峙した状態となり、前記ベースシート２下面の所定位置に粘着配置された複数の可動接点１位置のそれぞれで単体のスイッチが構成され、全体としてはパネルスイッチとして構成される。
【０００８】
なお、前記可動接点体は、可動接点１を埃などから保護するため、ベースシート２の下面全体を覆う保護シートが貼り合わせられて搬送・保管などが行われ、前記配線基板５上への貼り合わせ時に、その保護シートを取り除くことが通常行われる。
【０００９】
そして、前記パネルスイッチの単体スイッチの動作としては、電子機器の操作ボタン（図示せず）などにより、ベースシート２を介して可動接点１のドーム状頂点部１Ａが押下されると、可動接点１のドーム状部分が節度感を伴って弾性変形し、ドーム状頂点部１Ａ下面が下方の対応する中央固定接点４Ｂに接触して、外側固定接点４Ａと中央固定接点４Ｂとの間が電気的に導通したスイッチオン状態となる。
【００１０】
そして、その押圧力を解除すると、可動接点１は、ドーム状部分が節度感を伴いつつ元の上方突形のドーム状に自己復元して、ドーム状頂点部１Ａ下面が中央固定接点４Ｂから離れる。これにより、外側固定接点４Ａと中央固定接点４Ｂとの間が電気的独立状態である図６に示す元のスイッチオフ状態に戻るものであった。
【００１１】
なお、この出願の発明に関連する先行技術文献情報としては、例えば、特許文献１が知られている。
【特許文献１】特開平１０−１８８７２８号公報
【発明の開示】
【発明が解決しようとする課題】
【００１２】
前記従来の可動接点体およびそれを用いて構成したパネルスイッチにおいては、搭載製品の小型化への対応に伴い、ベースシート２の外縁とその外縁近傍に配置される可動接点１との間を狭く設定して小型化への対応を図ることもあった。
【００１３】
しかしながら、当該対応方法においては、可動接点体を配線基板５に貼り合わせてパネルスイッチに構成した際、各スイッチの動作時を含んで、ベースシート２が外縁部分から剥がれないように、図６に示すベースシート２の外縁端部からその近傍位置に配置された可動接点１の外周端部との間に形成される粘着剤３部分の形成寸法幅Ａを、所定の貼り合わせ状態が維持できる寸法設定としなければならず、前記対応方法は、簡単で有用な方策ではあるものの、ある程度までの小型化が限界であった。
【００１４】
本発明は、このような従来の課題を解決するものであり、ベースシートの外縁とその外縁近傍に配置される可動接点との間を従来のものよりも狭く設定したにも拘わらず、ベースシートの外縁からの剥がれが防止できる外形が小型化された可動接点体およびそれを用いて構成したパネルスイッチを提供することを目的とする。
【課題を解決するための手段】
【００１５】
前記目的を達成するために本発明は、以下の構成を有するものである。
【００１６】
本発明の請求項１に記載の発明は、下方開口のドーム状に形成された複数個の金属薄板製の可動接点と、前記可動接点のそれぞれの上面を、下面の粘着剤で粘着保持した絶縁フィルム製のベースシートとを備え、前記ベースシートにおいて、その外縁と前記外縁に近接して配置された前記可動接点の外周端近傍に応じた箇所との間の部分に、前記ベースシートと前記粘着剤との間に介在する薄肉の中間部材が設けられた可動接点体としたものである。
【００１７】
この構成であれば、ベースシートそのものとしては、その外縁と前記外縁に近接して配置された可動接点の外周端近傍に応じた箇所との間の部分が、中間部材の厚みを含む高さで位置するものにでき、これにより、ベースシートそのものは、その外縁および前記外縁近傍の部分と前記可動接点のドーム状頂点部上に粘着する部分との高さの差分が小さくでき、ベースシートそのものが、当該可動接点の外周端部分に対応する位置で従来のものよりもゆるやかな曲率で当該可動接点上に粘着していくものにでき、ベースシートそのものが平板状に戻ろうとする力の抑制が図れたものにできる。このため、ベースシート外縁に対し、その近傍に配置される可動接点を従来のものよりも狭い間隔で配置しても、ベースシートの外縁からの剥がれが防止できる外形が小型化された可動接点体を得ることができるという作用を有する。
【００１８】
本発明の請求項２に記載の発明は、請求項１記載の発明において、中間部材が、可動接点を囲む円環状に設けられたものであり、可動接点を取り囲む外周全体でベースシートそのものはゆるやかな曲率で繋がってドーム状頂点部上に粘着されたものにできるため、当該部分におけるベースシートそのものが平板状に戻ろうとする力の抑制が図れ、パネルスイッチを構成した際の各可動接点の保持状態に優れたものにできるという作用を有する。
【００１９】
本発明の請求項３に記載の発明は、請求項１記載の発明において、中間部材が、絶縁樹脂材料からなるフィルム状薄板で構成されたものであり、汎用的な材料で中間部材を形成することにより、容易かつ低コストで外形の小型化が図られた可動接点体を実現することができるという作用を有する。
【００２０】
本発明の請求項４に記載の発明は、請求項１記載の発明において、中間部材が、スクリーン印刷によりベースシート下面に形成された絶縁皮膜であるものであり、中間部材としての絶縁皮膜をスクリーン印刷で形成する構成であれば、可動接点の配置位置などが異なる多様な種類のものへの対応が柔軟にできるという作用を有する。
【００２１】
本発明の請求項５に記載の発明は、請求項１記載の可動接点体を用いて、その可動接点体の各可動接点に対応する位置それぞれに固定接点が配設された配線基板上に、ベースシート下面の粘着剤により前記可動接点体を粘着させて構成したパネルスイッチとしたものであり、外形が小型で、かつベースシートの外縁幅が狭く設定されていてもベースシートの剥がれがなく防塵性などに優れたパネルスイッチを得ることができるという作用を有する。
【発明の効果】
【００２２】
以上のように本発明によれば、ベースシートそのものとして、その外縁と前記外縁に近接して配置された可動接点の外周端近傍に応じた箇所との間の部分が、中間部材の厚みを含む高さ位置で位置するものにできるため、前記ベースシートそのものが当該可動接点の外周端部分に対応する位置において、従来のものよりもゆるやかな曲率で前記可動接点上に粘着していくものにできて、ベースシートそのものの平板状に戻ろうとする力の抑制が図れたものにできることから、ベースシートの外縁とその近傍に配置される可動接点の間隔を狭く設定してもベースシートの外縁からの剥がれが防止された外形が小型の可動接点体およびそれを用いて構成したパネルスイッチを提供することができるという有利な効果が得られる。
【発明を実施するための最良の形態】
【００２３】
以下、本発明の実施の形態について、図１〜図３を用いて説明する。
【００２４】
（実施の形態）
図１は本発明の一実施の形態による可動接点体の断面図、図２は同要部であるベースシートの下面図である。
【００２５】
図１において、１１は、上方突形で下方が開口したドーム状に形成された金属薄板製の可動接点であり、その外形は、各々上面視円形に構成されている。１２は、下面に粘着剤１３を備えたＰＥＴ等の絶縁フィルム製のベースシートであり、前記可動接点１１は、複数個それぞれが、前記粘着剤１３で各ドーム状頂点部１１Ａ上面を粘着保持されて、ベースシート１２の所定位置に配置されている。
【００２６】
そして、本発明による可動接点体は、ベースシート１２下面に粘着配置される複数の可動接点１１の外周を取り囲む位置それぞれに、図２のベースシートの下面図に破線で示すように、ベースシート１２と粘着剤１３との間に介在する中間部材としての円環状の絶縁皮膜１４を設けた点を特徴とするものである。
【００２７】
この絶縁皮膜１４は、ベースシート１２の下面に、絶縁樹脂からなるペーストを各可動接点１１の粘着保持位置を取り囲む円環状のパターンでスクリーン印刷して薄肉厚に形成されている。そして、粘着剤１３は、その後に、スクリーン印刷やロールコータ等により、前記絶縁皮膜１４が形成された部分を含めてベースシート１２の下面側に全面で印刷塗布されて構成されている。なお、絶縁皮膜１４をスクリーン印刷で形成するようにすると、可動接点１１が粘着配置される位置や数等が変わっても柔軟に対応することができる。
【００２８】
以上のように構成された本発明による可動接点体は、各可動接点１１の周囲部分におけるベースシート１２そのものの配置高さ位置が、ベースシート１２と粘着剤１３との間に配した薄肉厚の絶縁皮膜１４の厚み部分だけ上方位置に配置されるものにでき、前記周囲部分と前記各可動接点１１のドーム状頂点部１１Ａ上に粘着する部分との高さの差分が小さくできることから、ベースシート１２そのものは、当該可動接点１１の外周端部分に対応する箇所において、従来のものよりもゆるやかな曲率で当該可動接点１１上に粘着した部分に繋がっていくものにできて、ベースシート１２そのものが平板状に戻ろうとする力の抑制が図れたものにできる。その平板状に戻ろうとする力は、特に可動接点１１の外周端近傍に応じた位置で上方に向かう力として作用するが、その力の抑制が図られた当該構成のものは、下面側の粘着剤１３が、可動接点１１の外周端に近接する位置まで確実に被着物に粘着状態となるものにできる。
【００２９】
そして、前記のようにベースシート１２そのものが平板状に戻ろうとする力が少なくできる当該構成であれば、ベースシート１２の外縁近傍に配置される可動接点１１を、その外縁に対して従来のものよりも狭い間隔で配置設定して外形を小型化したものであっても、ベースシート１２の外縁からの剥がれなどが防止できるものとなる。
【００３０】
次に、以上のように構成された本発明による可動接点体を用いて構成したパネルスイッチについて図３の断面図を用いて説明する。
【００３１】
同図に示すように、当該パネルスイッチの構成は、上面に外側固定接点１５Ａと中央固定接点１５Ｂとを一組とした固定接点１５が、前記可動接点体の各可動接点１１に応じた位置それぞれに配設された配線基板１６に対し、各可動接点１１の外周下端１１Ｂが前記各外側固定接点１５Ａ上に載るように位置合わせされてベースシート１２下面の粘着剤１３で粘着状態に装着されたものである。
【００３２】
そして、当該パネルスイッチは、ベースシート１２そのものが平板状に戻ろうとする力が低減化された本発明による可動接点体を用いて構成されたものであるため、同図にも示したように、その下面側の粘着剤１３は、可動接点１１の外周端に対して従来のものよりも近接した位置まで確実に密着状態になり、各可動接点１１の保持状態に優れたものとなる。
【００３３】
なお、本発明による可動接点体においても、従来同様に、配線基板１６上に貼り合わされるまでは、可動接点１１などを埃や異物から保護するために、絶縁フィルム製の保護シートがベースシート１２の下面全体を覆うように貼り合わせられ、その配線基板１６への貼り合わせ時に、保護シートが取り除かれて装着される。
【００３４】
そのパネルスイッチの動作としては、図示しない電子機器の操作ボタンでベースシート１２上から可動接点１１のドーム状頂点部１１Ａを押下すると、ドーム状部分が節度感を伴って弾性変形して、ドーム状頂点部１１Ａ下面が対応する中央固定接点１５Ｂに接触する。これにより、可動接点１１を介して外側固定接点１５Ａと中央固定接点１５Ｂとの間が導通したスイッチオン状態となる。
【００３５】
そして、可動接点１１への押圧力を取り除くと、可動接点１１は、自身の自己復元力により、節度感を伴いつつ元の上方突形のドーム状に戻り、ドーム状頂点部１１Ａ下面と中央固定接点１５Ｂとが離れた図３に示すスイッチオフ状態に戻る。
【００３６】
そして、当該パネルスイッチは、各可動接点１１の周囲部分におけるベースシート１２そのものの部分が、ベースシート１２と粘着剤１３との間に配した薄肉厚の絶縁皮膜１４の厚み分だけ上方位置で配線基板１６面に水平に位置し、そこから緩やかな曲率で各可動接点１１のドーム状の上面に沿うように粘着されたものに構成できるため、ベースシート１２自身の平板状に戻ろうとする力が抑制でき、前記にも記載したように、可動接点１１の周囲近傍位置まで下面側の粘着剤１３が配線基板１６上に密着したものにできる。
【００３７】
このとき、可動接点体としてベースシート１２外縁に対し従来のものよりも可動接点１１が近接配置され外形の小型化が図られたものを用いて構成してあっても、当該ベースシート１２そのものにおいて、その外縁および前記外縁近傍部分は、ベースシート１２自身の平板状に戻ろうとする力が抑制されてその下面の粘着剤１３が従来のものよりも当該可動接点１１に近接する位置まで配線基板１６上に密着状態で粘着したものにできるため、ベースシート１２外縁の配線基板１６からの剥がれが防止された防塵性などに優れる外形の小さい高品質のものに構成できる。
【００３８】
なお、上述した絶縁皮膜１４の代わりに、中間部材として、可動接点１１が粘着配置される箇所に孔が設けられた汎用的な絶縁フィルムなどからなる絶縁薄板を用いてもよく、この場合には、前記絶縁薄板をベースシートに接着、溶着などで装着した後に、その上から粘着剤を塗布すれば、容易かつ低コストで上述と同様の効果が得られるものにできる。
【００３９】
また、その中間部材としての形状としては、前記に説明した可動接点１１の外周部分を取り囲む円環状に限られることはない。例えば、ベースシート１２外縁近傍に配置された可動接点１１の少なくとも前記外縁側の略半周程度に亘る範囲に少なくとも中間部材が形成されていれば、ベースシートの外縁からの剥がれが防止された従来のものより外形が小型のものを実現することができ、その構成位置は、適宜設定すればよい。
【産業上の利用可能性】
【００４０】
本発明による可動接点体およびそれを用いて構成したパネルスイッチは、中間部材を付加することにより、ベースシートそのものが平板状に戻ろうとする力の抑制が図れる構成であるため、ベースシートの外縁に対しその近傍位置に配置された可動接点との間隔を狭く設定して外形の小型化を図ったものであっても、ベースシートの外縁からの剥がれが防止されたものにできるという特徴を有し、各種電子機器の操作パネル用のパネルスイッチ等に有用である。
【図面の簡単な説明】
【００４１】
【図１】本発明の一実施の形態による可動接点体の断面図
【図２】同要部であるベースシートの下面図
【図３】同可動接点体を装着して構成したパネルスイッチの断面図
【図４】従来の可動接点体の断面図
【図５】同分解斜視図
【図６】同可動接点体を装着して構成したパネルスイッチの断面図
【符号の説明】
【００４２】
１１  可動接点
１１Ａ  ドーム状頂点部
１１Ｂ  外周下端
１２  ベースシート
１３  粘着剤
１４  絶縁皮膜
１５  固定接点
１５Ａ  外側固定接点
１５Ｂ  中央固定接点
１６  配線基板
【図１】
2006172974.tif 000003
【図２】
2006172974.tif 000004
【図３】
2006172974.tif 000005
【図４】
2006172974.tif 000006
【図５】
2006172974.tif 000007
【図６】
2006172974.tif 000008